(57)【要約】【課題】簡単な構造で製造コストを安価に製造でき、熱の移動を少なくして断熱性を向上するビニルカーテンを提供する。【解決手段】カーテンレール４に吊設して窓ガラスを遮光するレースのカーテンに撥水性を有したビニル面を備えたビニルカーテンであって、カーテンレール４に吊設して窓ガラス１を遮光するレースによる遮光用カーテン３０を有し、このカーテンレール４に吊設されて１枚の大きなビニルからなり遮光用カーテン３０と窓ガラス１との間に介在して窓ガラス１を区切ることでこの窓ガラス１との間に熱の移動が少ない空気層Ａを形成して断熱性を向上させる第１ビニルカーテン１０を備える。【選択図】図１
2006158559.tif 000002
【特許請求の範囲】
【請求項１】
カーテンレールに吊設して窓ガラスを遮光するレースのカーテンに撥水性を有したビニル面を備えたビニルカーテンにおいて、
前記カーテンレールに吊設して前記窓ガラスを遮光する前記レースまたはブラインドなどの遮光用カーテンを有し、
前記カーテンレールに吊設されて１枚の大きな前記ビニルからなり前記遮光用カーテンと前記窓ガラスとの間に介在して前記窓ガラスを区切ることで、この窓ガラスとの間に熱の移動が少ない空気層を形成して断熱性を向上させる第１ビニルカーテンを備えたことを特徴とするビニルカーテン。
【請求項２】
請求項１に記載したビニルカーテンにおいて、
前記カーテンレールには、前記第１ビニルカーテンと遮光用カーテンとを吊した上部を覆って前記空気層の上部からの熱の移動を防止する第２ビニルカーテンを更に設けたことを特徴とするビニルカーテン。
【請求項３】
請求項１または２に記載したビニルカーテンにおいて、
前記カーテンレールは、前記ビニルからなる第１ビニルカーテンと前記レースとを吊るす２連式、又はこのビニルからなる第１ビニルカーテンとレースと厚手の布で形成した布カーテンとを吊るす３連式いずれかに形成したことを特徴とするビニルカーテン。
【請求項４】
請求項１または２に記載したビニルカーテンにおいて、
前記第１ビニルカーテンは、前記レースを前記ビニルの片面に接着して一体に設けることで、前記レースまたはブラインドなどの遮光用カーテンの吊設を不要とすることを特徴とするビニルカーテン。
【請求項５】
請求項１または２に記載したビニルカーテンにおいて、
前記第１ビニルカーテンは、前記ビニルの片面に遮光フィルムを接着することで、前記レースまたはブラインドなどの遮光用カーテンの吊設を不要とすることを特徴とするビニルカーテン。
【請求項６】
請求項４または５に記載したビニルカーテンにおいて、
前記カーテンレールは、前記レースまたは遮光フィルムを接着してなる第１ビニルカーテンを吊るす１連式、又はこのレースまたは遮光フィルムを接着してなる第１ビニルカーテンと厚手の布で形成した布カーテンとを吊るす２連式いずれかに形成することを特徴とするビニルカーテン。
【請求項７】
請求項１または２に記載したビニルカーテンにおいて、
前記窓ガラスは、二重ガラスの構造に形成し、この内部に前記レースまたはブラインドなどの遮光用カーテンを内蔵して前記カーテンレールでの吊設を不要とすることを特徴とするビニルカーテン。
【発明の詳細な説明】
【技術分野】
【０００１】
本発明は、ビニルカーテンに係り、より詳細には窓ガラスを遮光するレースのカーテンに撥水性を有したビニル面を備えるビニルカーテンに関する。
【背景技術】
【０００２】
従来、ビニルカーテンは、窓ガラスを遮光するレースのカーテンに撥水性を有したビニルを片面に固着（コーティング）することで、寒い時期に窓ガラスに発生した結露による水滴でレースが張り付いて濡れることを防止し、同時に寒気を室内に通すことのない気密性を備えたカーテン構造が知られている（例えば、特許文献１参照。）。
【特許文献１】特開２００２−３０６３２１号公報
【０００３】
前者の方法による実施の形態を、図６を参照して説明する。図６は、このようなレースにビニルを固着してなる従来のビニルカーテンの実施形態を示す構成図である。図６に示すように、従来のビニルカーテン７０の実施形態は、カーテンレール４に吊設して窓ガラス１を遮光する薄い布からなるレース７０ｂを備え、この窓ガラス１に対向して遮光するレース７０ｂの片面に撥水性を有したビニル７０ａを固着（コーティング）してなるビニル面を形成している。ここで、図６に示した窓ガラス１は、住宅用に用いる窓ガラスであって、壁にサッシ２の枠を取り付けてスライド可能に支持したものである。また、カーテンレール４は、前述した住宅用の場合、通常、２つのカーテンを吊るす２連式のレールが多く、ここではレース７０ｂにビニル７０ａを固着したビニルカーテン７０と、室内が覗かれないように厚手の布で形成した布カーテン４０とを各々吊している。このような構成からなる従来のビニルカーテン７０の実施形態は、夜間に布カーテン４０とともにレース７０ｂにビニル７０ａを固着したビニル面で窓ガラス１を遮蔽することで、このビニル面が窓ガラス１の結露による水滴を弾いて下方に流すため、レース７０ｂが窓ガラス１に張り付いて濡れることを防止できる。
【０００４】
このように従来のビニルカーテン７０は、室内で窓ガラス１に対向して遮蔽するレース７０ｂの片面にビニル７０ａを固着（コーティング）することで、寒い時期に窓ガラス１に発生した結露による水滴でレース７０ｂが張り付いて濡れることを防止し、同時にビニル７０ａにより寒気が室内に通ることのない気密性を保持していた。
【発明の開示】
【発明が解決しようとする課題】
【０００５】
しかしながら、従来のビニルカーテン７０では、図６に示したように、カーテンレール４に吊設して窓ガラス１と対向して遮蔽するレース７０ｂの片面にビニル７０ａを固着（コーティング）する構造のため、薄く柔らかい生地からなるレース７０ｂの片側面にビニル７０ａを固着させる工程は容易でなく製造コストが高くなるとともに、特に、カーテンレール４に吊設するレース７０ｂの上端は濡れないためビニル７０ａを固着しない場合もあり、この場合にビニル７０ａを固着していないレース７０ｂの上端からは寒気または熱気などの熱の移動が多くなり断熱性が低下するという不具合があった。
【０００６】
本発明はこのような課題を解決し、簡単な構造で製造コストを安価に製造でき、熱の移動を少なくして断熱性を向上するビニルカーテンを提供することを目的とする。
【課題を解決するための手段】
【０００７】
本発明は上述した課題を解決するために、カーテンレールに吊設して窓ガラスを遮光するレースのカーテンに撥水性を有したビニル面を備えたビニルカーテンであって、カーテンレールに吊設して窓ガラスを遮光するレースまたはブラインドなどの遮光用カーテンを有し、このカーテンレールに吊設されて１枚の大きなビニルからなり遮光用カーテンと窓ガラスとの間に介在して窓ガラスを区切ることでこの窓ガラスとの間に熱の移動が少ない空気層を形成して断熱性を向上させる第１ビニルカーテンを備える。
【０００８】
ここで、カーテンレールには、第１ビニルカーテンと遮光用カーテンとを吊した上部を覆って空気層の上部からの熱の移動を防止する第２ビニルカーテンを更に設けることが好ましい。また、カーテンレールは、ビニルからなる第１ビニルカーテンとレースとを吊るす２連式、又はこのビニルからなる第１ビニルカーテンとレースと厚手の布で形成した布カーテンとを吊るす３連式いずれかに形成することが好ましい。また、第１ビニルカーテンは、レースをビニルの片面に接着して一体に設けることで、レースまたはブラインドなどの遮光用カーテンの吊設を不要とすることが好ましい。また、第１ビニルカーテンの他の実施例としては、ビニルの片面に遮光フィルムを接着することで、レースまたはブラインドなどの遮光用カーテンの吊設を不要とすることが好ましい。ここで、カーテンレールの他の実施例として、レースまたは遮光フィルムを接着してなる第１ビニルカーテンを吊るす１連式、又はこのレースまたは遮光フィルムを接着してなる第１ビニルカーテンと厚手の布で形成した布カーテンとを吊るす２連式いずれかに形成することが好ましい。また、窓ガラスは、二重ガラスの構造に形成し、この内部にレースまたはブラインドなどの遮光用カーテンを内蔵してカーテンレールでの吊設を不要とすることが好ましい。
【発明の効果】
【０００９】
以上、詳細に説明したように本発明のビニルカーテンによれば、カーテンレールに吊設して窓ガラスと対向して遮蔽する第１ビニルカーテンを１枚の大きなビニルで形成しているため、簡単な構造になりレースまたは遮光フィルムなどの遮蔽材も容易に接着して安価に製造できるとともに、窓ガラスを１枚のビニルで遮蔽して間に熱の伝わりが少ない空気層を形成することで室内から外部への冷房熱や暖房熱の移動（放出）を抑えて断熱性を向上し、同時に高い省エネルギー効果を得ることができる。
【発明を実施するための最良の形態】
【００１０】
次に、添付図面を参照して本発明によるビニルカーテンの実施の形態を詳細に説明する。図１は、本発明によるビニルカーテンの第１実施形態を示す構成図である。また、図２は、図１に示したカーテンレールを３連式にした他の実施例を示す図である。また、図３は、本発明によるビニルカーテンの第２実施形態を示す構成図である。また、図４は、図３にカーテンレール４に布カーテン４０を吊設した状態を示す図である。また、図５は、本発明によるビニルカーテンの第３実施形態を示す構成図である。尚、図１〜４に記載したサッシと窓ガラスとは、図６に示した従来技術での窓ガラス１及びサッシ２と同じ構成要素であり、同様の構成要素には同じ符号を記載している。
【実施例１】
【００１１】
図１に示すように、本発明によるビニルカーテンの第１実施形態は、図６に示した従来技術と同様に、住宅用でサッシ２の枠内に取り付けてスライドさせて開閉する窓ガラス１を室内側で吊設して遮断するカーテンであり、この窓ガラス１の室内側上部に２連式のカーテンレール４を取り付けてカーテンフック６により吊設している。この第１の実施形態は、カーテンレール４に吊設して窓ガラス１を遮光する薄い布で形成したレースである遮光用カーテン３０を有し、カーテンレール４に吊設して１枚の大きなビニルからなり遮光用カーテン３０と窓ガラス１との間に介在して窓ガラス１を区切ることでこの窓ガラス１との間に熱の移動が少ない空気層Ａを形成して断熱性を向上させる第１ビニルカーテン１０を備えている。即ち、第１の実施形態は、１枚の大きなビニルからなる第１ビニルカーテン１０で窓ガラス１を遮断するため、この窓ガラス１との間に熱の移動が少ない空気層Ａを形成して断熱性を向上し、且つ、第１ビニルカーテン１０を１枚のビニルで形成した簡単な構造にすることで、後述（図３に示す第２実施形態）するレースや断熱シートを容易に接着可能にして安価な製造コストで製造できるように設けたものである。
【００１２】
ここで、カーテンレール４には、第１ビニルカーテン１０と遮光用カーテン３０とを吊した上部を覆って、空気層Ａの上部からの熱の移動を防止する第２ビニルカーテン２０を更に設けている。このように第１の実施形態では、図６に示した従来技術でビニルカーテンを吊るすカーテンレールの上部が開放して熱の移動が生じるため、この開放した上部までも更なる１枚のビニルからなる第２ビニルカーテン２０により密閉することで、断熱性をより向上させている。また、第１ビニルカーテン１０は、前述したように１枚の大きなビニルからなり、例えば、テーブルクロスや水屋クロスなどに使用される透明なビニルレースを用いた一般的な材質で代替でき、安価で高い断熱性を備えた構造に形成している。従って、第１の実施形態は、図６に示した従来技術での撥水性の機能も活かすことができるとともに、加工が簡単であり、カーテンレール４（カーテンフック６）もそのまま使用できる。尚、カーテンレール４には、薄い布で形成したレースによる遮光用カーテン３０を吊設した実施形態を説明したが、これに限定されるものではなく、例えば、ブラインド（図５参照）による遮光用カーテンにすることも可能である。
【００１３】
ところで、図１に示したカーテンレール４は、図６に示した従来技術での厚手の布で形成した布カーテン４０を吊るすレーンが残っていないが、例えば、このカーテンレールを３連式にすることで吊設することが可能になる。このような３連式のカーテンレール５に形成した他の実施例は、図２に示すように、住宅用のサッシ２に支持した窓ガラス１の室内側の上部に取り付けられ、図１に示したカーテンレールと同様に第１ビニルカーテン１０とレースによる遮光用カーテン３０とを各々吊設し、且つ、その吊るした上部を第２ビニルカーテン２０により覆って密閉している。そして、このカーテンレール５には、第１ビニルカーテン１０及び遮光用カーテン３０に加えて、室内が覗かれないように厚手の布で形成した布カーテン４０を更に吊設している。従って、住宅用の窓ガラス１が人通りの多いい側に位置する場合、第１ビニルカーテン１０と布カーテン４０とを同時に閉めることで、室内を他人に覗かれることがなく、且つ、室内の暖房または冷房などの熱を空気層Ａが断熱して省エネ効果を得ることができる。尚、室内が暗い場合、第１ビニルカーテン１０を透明のビニルで形成しているため、布カーテン４０を開けてレースからなる遮光用カーテン３０を用いることで明るくすることができる。
【００１４】
このように本発明によるビニルカーテンの第１実施形態によると、カーテンレール４、５に吊設して窓ガラス１と対向して遮蔽する第１ビニルカーテン１０を１枚の大きなビニルで形成しているため、簡単な構造になりレースまたは遮光フィルムなどの遮蔽材も容易に接着できて安価に製造できるとともに、窓ガラス１を１枚のビニルからなる第１ビニルカーテン１０で遮蔽して間に熱の伝わりが少ない空気層Ａを形成することで室内から外部への冷房熱や暖房熱の移動（放出）を抑えて断熱性を向上し、同時に高い省エネルギー効果を得ることができる。また、カーテンレール４の上部を第２ビニルカーテン２０により覆って密閉することで、断熱性をより向上させることができる。さらに、３連式のカーテンレール５を設けることで、厚手の布で形成した布カーテン４０を吊設でき、室内が他人に覗かれることを遮蔽できる。
【実施例２】
【００１５】
次に、図３及び図４を参照して、本発明によるビニルカーテンの第２の実施形態を詳細に説明する。図３に示すように、本発明によるビニルカーテンの第２の実施形態は、第１実施形態と同様に、住宅用でサッシ２にスライド可能に取り付けた窓ガラス１を室内側で吊設して遮断するカーテンであり、この窓ガラス１の室内側上部に２連式のカーテンレール４を取り付けてカーテンフック６により吊設している。また、第２の実施形態は、カーテンレール４にビニル５０ａからなる第１ビニルカーテン５０を吊設するとともに、この第１ビニルカーテン５０を吊した上部を覆って、この上部からの熱の移動を防止する第２ビニルカーテン２０を更に設けている。ここで、第２の実施形態は、図１に示した第１の実施形態とは異なり、第１ビニルカーテン５０を１枚の大きなビニル５０ａで形成して窓ガラス１との間に空気層Ａを設けて遮蔽し、その遮蔽したビニル５０ａの片面（室内側の面）にレース５０ｂを接着して一体に設けている。従って、第２の実施形態は、図１に示した第１の実施形態のように第１ビニルカーテン１０と遮光用カーテン３０とをカーテンレール４に各々吊設することが不要になり、図３に示したようにビニル５０ａの片面にレース５０ｂを接着した第１ビニルカーテン５０のみを吊設するだけで遮光用カーテン３０を別途吊るした第１実施形態と同様の効果が得られる。
【００１６】
ここで、第２の実施形態は、第１ビニルカーテン５０の１枚の大きなビニル５０ａ面にレース５０ｂを接着した実施形態を詳細に説明したが、これに限定されるものではなく、例えば、遮光性を有する遮光フィルムを接着して、レースまたはブラインドなどの遮光用カーテンの吊設を不要とすることも可能である。また、第１ビニルカーテン５０は、レース５０ｂを接着する場合、接着剤、両面テープなどにより容易に安価な製造コストで接着でき、且つ、マジックテープ（登録商標）、ファスナーなどを用いると、レース５０ｂを必要に応じて着脱可能にして好みの遮光位置または色などの仕様を変えることが可能になる。従って、第２の実施形態は、図６に示した従来技術のようにレースにビニルを固着（コーティング）する構造に比べて、加工が容易で製造コストを大幅に低減でき、且つ、利用者の好みに合わせてその仕様を自由に変えることができる。
【００１７】
そして、第２の実施形態では、図３に示したように、ビニル５０ａ面にレース５０ｂを接着した第１ビニルカーテン５０をカーテンレール４に吊設した場合、住宅用によく用いる２連式のカーテンレール４では1ヶ所吊るすレール（カーテンフック６）が未使用になる。そこで、第２の実施形態は、図４に示すように、２連式のカーテンレール４で未使用になったレールに、図６に示した従来技術と同じように、厚手の布で形成した布カーテン４０を吊るしている。即ち、第２の実施形態では、図２に示した３連式のカーテンレールを別途設けなくても、厚手の布で形成した布カーテン４０を吊るすことが可能になる。従って、ビニル５０ａの片面にレース５０ｂ（または遮光フィルム）を一体に接着した第１ビニルカーテン５０を用いることで、図２に示した３連式のカーテンレールを設けることなく布カーテン４０を吊設でき、室内が他人に覗かれることを遮蔽できる。
【００１８】
このように本発明によるビニルカーテンの第２の実施形態によると、窓ガラス１を１枚の大きなビニル５０ａからなる第１ビニルカーテン５０で遮蔽するため、第１の実施形態と同様の効果を得ることができるとともに、この第１ビニルカーテン５０のビニル５０ａ面にレース５０ｂ（または遮光フィルム）を接着して一体に設けることで、２連式のカーテンレール４でも布カーテン４０を吊設でき、室内が他人に覗かれることを遮蔽することができる。
【実施例３】
【００１９】
一方、前述した第１及び第２の実施形態では、住宅用に設けられた窓ガラスを遮蔽するビニルカーテンの実施例を詳細に説明したが、本実施の形態はオフィスまたは所定の施設などのビル用の窓ガラスにも採用することが可能である。次に、図５を参照して、このようなビル用の窓ガラスに採用した本発明によるビニルカーテンの第３の実施形態を詳細に説明する。
【００２０】
図５に示すように、本発明によるビニルカーテンの第３の実施形態は、ビル用のサッシ８の枠内に外れないように固定した窓ガラス７をビルの内側で吊設して遮断するカーテンであり、この窓ガラス７のビル内側上部に２連式のカーテンレール４を取り付けてカーテンフック６により吊設している。この第３の実施形態は、カーテンレール４に吊設して窓ガラス７を遮光するブラインドである遮光用カーテン６０を有し、カーテンレール４に吊設して１枚の大きなビニルからなり遮光用カーテン６０と窓ガラス７との間に介在して窓ガラス７を区切ることでこの窓ガラス７との間に熱の移動が少ない空気層Ａを形成して断熱性を向上させる第１ビニルカーテン１０を備えている。また、カーテンレール４には、第１ビニルカーテン１０と遮光用カーテン６０とを吊した上部を覆って、空気層Ａの上部からの熱の移動を防止する第２ビニルカーテン２０を更に設けている。
【００２１】
即ち、第３の実施形態は、図１に示した第１実施形態でのレースの代わりにブラインドである遮光用カーテン６０を用いたものであって、特に、オフィスなどのビルでは窓ガラス７の遮光用にブラインドによる遮光用カーテン６０のみを用いることが多く、この遮光用カーテン６０と窓ガラス７との間に１枚のビニルからなる第１ビニルカーテン１０を吊設して遮蔽している。ここで、カーテンレール４には、ブラインドである遮光用カーテン６０と、ビニルからなる第１ビニルカーテン１０とを吊設した実施例を説明したが、例えば、図３に示したビニル面にレースまたは遮光フィルムを接着した第１ビニルカーテン５０のみを吊設して、ブラインドによる遮光用カーテン６０の吊設を不要にすることも可能である。この場合、カーテンレール４には、図４に示した布カーテン４０を吊るすこともできる。また、ビル用の窓ガラス７は、図示されていないが近年、二重ガラスの構造に形成され、且つ、この内部にブラインド（またはレース）の遮光用カーテン６０を内蔵したものがあり、カーテンレール４での遮光用カーテン６０の吊設を不要とすることもできる。この場合、カーテンレール４に１枚のビニルからなる第１ビニルカーテン１０のみを吊設するだけで、二重ガラス構造による断熱と、窓ガラス７をビニル面で遮断して形成される空気層の断熱との両方の断熱効果が得られ、より効果的な断熱構造を実現できる。
【００２２】
このように、本発明によるビニルカーテンの第３の実施形態によると、窓ガラス７を１枚のビニルからなる第１ビニルカーテン１０により遮蔽する構造のため、住宅用の窓ガラスと異なるビル用の窓ガラス７でも、第１及び第２の実施形態と同様の効果を得ることができる。また、第３の実施形態によると、二重ガラス構造によるビル用の窓ガラスを用いることで、この二重ガラス構造による断熱と、空気層による断熱との両方の断熱効果を得ることができ、より効果的な断熱構造を実現できる。
【００２３】
以上、本発明によるビニルカーテンの実施形態を詳細に説明したが、本発明は前述した実施の形態に限定されるものではなく、その要旨を逸脱しない範囲で変更可能である。
例えば、カーテンレールにビニルからなる第１ビニルカーテンを吊設する実施形態を詳細に説明したが、これに限定されるものではなく、窓ガラスの上部に巻き取り式のビニルカーテンを取り付け、必要に応じて引き伸ばして使用することも可能である。
また、住宅用またはビル用の窓ガラスに採用した実施形態を詳細に説明したが、これに限定されるものではなく、例えば、飛行機、電車、船などの乗り物に設けた窓ガラスにも採用することが可能である。
【図面の簡単な説明】
【００２４】
【図１】本発明によるビニルカーテンの第１実施形態を示す構成図。（実施例１）
【図２】図１に示したカーテンレールを３連式にした他の実施例を示す図。
【図３】本発明によるビニルカーテンの第２実施形態を示す構成図。（実施例２）
【図４】図３にカーテンレールに布カーテンを吊設した状態を示す図。
【図５】本発明によるビニルカーテンの第３実施形態を示す構成図。（実施例３）
【図６】従来のビニルカーテンの実施形態を示す構成図。
【符号の説明】
【００２５】
１    窓ガラス
２    サッシ
４    カーテンレール
６    カーテンフック
１０    第１ビニルカーテン
３０    遮光用カーテン
【図１】
2006158559.tif 000003
【図２】
2006158559.tif 000004
【図３】
2006158559.tif 000005
【図４】
2006158559.tif 000006
【図５】
2006158559.tif 000007
【図６】
2006158559.tif 000008